(57)【要約】【課題】  最大の課題は、蓄圧式消火器薬剤貯蔵容器の圧力低下時に、それを検知して電気信号を出す手段を低コストで実現し、安価な警報機能付き消火装置または消火器を提供することにある。【解決手段】  蓄圧式消火薬剤貯蔵容器ホルダーに放射ノズル付き放出導管および指示圧力計を取り付けた消火装置または消火器において、前記の指示圧力計にその圧力を指示する指針の動きによって開閉する固定接点を組み込み、薬剤貯蔵容器の減圧時に、上記の指針が該固定接点に接触して短絡信号回路を閉じるようにしたことを特徴とする別個に圧力スイッチを用いない消火装置または消火器。【選択図】  図１
2008148987.tif 000002
【特許請求の範囲】
【請求項１】
蓄圧式消火薬剤貯蔵容器ホルダーに放射ノズル付き放出導管および指示圧力計を取り付けた消火装置または消火器において、前記の指示圧力計にその圧力を指示する指針の動きによって開閉する固定接点を組み込み、薬剤貯蔵容器の減圧時に、上記の指針が該固定接点に接触して短絡信号回路を閉じるようにしたことを特徴とする別個に圧力スイッチを用いない消火装置または消火器。
【請求項２】
指針の動きを接点とした圧力スイッチ機能を有する消火器用指示圧力計を設けた蓄圧式消火薬剤貯蔵容器からなる請求項１記載の消火装置または消火器。
【発明の詳細な説明】
【技術分野】
【０００１】
本発明は初期消火用の消火装置または消火器の指示圧力計と作動信号に関するものである。
【背景技術】
【０００２】
消火器は消火薬剤貯蔵容器、容器弁、容器弁を手動開放するためのレバーとハンドル、先端に放射ノズルを設けたホース、安全栓等で構成されている。
自動消火装置は、消火薬剤貯蔵容器の他、消火薬剤通路となる放出導管、放射ノズルや、熱感知部と装置作動部分等で構成されている。
いずれも、薬剤貯蔵容器内の消火薬剤を火元に向けて放出するための加圧ガスが必要であるが、大別すると蓄圧式と加圧式に分類される。
蓄圧式は、一定の耐圧性能を有する金属製等の容器に消火薬剤を充填し、さらに放出圧力源として圧縮空気や窒素ガスを容器内に蓄圧している。  
別の加圧方式として、封板構造の小型高圧ガス容器を薬剤貯蔵容器に内蔵し、使用時に封板を押し破って容器内を加圧する加圧式等もあるが、この場合は前者の蓄圧式消火器消火薬剤貯蔵容器についての課題である。
【０００３】
蓄圧式薬剤貯蔵容器には、内部圧力を目視確認するため必ず指示圧力計を設けている。圧力計の指針が文字盤表示された範囲内であれば正常あり、使用済みや圧漏れ等による内圧低下を点検するために不可欠である。
また、自動消火装置は火災を感知し、自動的に消火薬剤を火災場所に放出する装置であるため、無人の場合には、火災が発生したことを警報を発して周知する事や、出火元の機器を停止する等が出来る機能も必要である。
この場合の信号出力源として、蓄圧式薬剤貯蔵容器を使用している場合には、作動時に容器内圧力が低下する現象を作動信号に変換するために、正常圧力以下の一定圧力値に設定した圧力スイッチを容器内に連通する部分に設け、容器作動時のスイッチの電気的な導通で警報器の鳴動等を行っている。
【０００４】
図４、図５、図６は、いずれも蓄圧式消火薬剤貯蔵容器３を使用した構造の警報用移報端子付きの自動消火装置であり、火災の危険性の高い可燃物の上部にノズルを可燃物に向けて設置する住宅用、一般用の自動消火装置である。
放射ノズル部７には火災熱を集積するための熱感知板８が易溶融金属で放射ノズル口７を封鎖している構造になっており、加熱により易溶融金属が溶けて熱感知板が脱落するとノズル口が開放し、容器の内圧により、放出導管６を経由してノズル口から消火薬剤を放出して消火する。
薬剤貯蔵容器に設けられたホルダー５にはいずれも容器内圧力を指示する指示圧力計１と、作動信号出力用の圧力スイッチ２が設けられている。
【０００５】
【特許文献１】特開２００５−１１８１０９
【発明の開示】
【発明が解決しようとする課題】
【０００６】
最大の課題は、蓄圧式消火器薬剤貯蔵容器の圧力低下時に、それを検知して電気信号を出す手段を低コストで実現し、安価な警報機能付き自動消火装置を提供することにある。
従来使用されている圧力スイッチはダイヤフラムやベローズの伸縮を接点に利用したものが一般的であるが、何れも比較的高価であり、消火装置全体のコストを引き上げてしまうため、警報機能付き製品が普及できない現状にある。
また、圧力スイッチは、小型の分類であっても比較的設置スペースが必要であり、装置のコンパクト化の障害になっている。
【課題を解決するための手段】
【０００７】
蓄圧式消火薬剤貯蔵容器は、接点機能付き消火器用指示圧力計を設けたものとし、蓄圧式消火薬剤貯蔵容器ホルダーに放射ノズル付き放出導管および指示圧力計を取り付けた自動消火器または消火装置において、前記の指示圧力計にその圧力を指示する指針の動きによって開閉する固定接点を組み込み、薬剤貯蔵容器の減圧時に、上記の指針が該固定接点に接触して短絡信号回路を閉じるようにしたことを特徴とする別個に圧力スイッチを用いない自動消火器または消火装置を提供する。
図１は請求項１の消火器用接点付指示圧力計を設けた蓄圧式薬剤貯蔵容器を使用した自動消火装置の例であり、図４にある圧力スイッチ２は単独には必要ない。
【発明の効果】
【０００８】
接点付き指示圧力計２３を取付けた蓄圧式薬剤貯蔵容器にすることにより、次のような効果が期待できる。
１．単独に設けていた圧力スイッチが省略できるため、作動信号を発する消火器容器を低コストで提供することが可能になるため、多用途に応用できる。
(用途例)
（１）自動消火装置の火災作動警報および遠隔監視盤への火災表示信号
（２）消火装置が取付けてある機器を火災時に停止する信号
（３）消火器、消火装置の消火薬剤貯蔵容器の圧漏れ監視信号
（４）その他の目的
２．従来設けていた圧力スイッチ取付けスペースが不要なため、装置のコンパクト化が図れる。
３．兼用部品にすることにより、従来の圧力スイッチ単体の気密不良の発生や、容器内部と連通する接続部の気密不良が回避でき、蓄圧容器としての信頼性が向上する。
【発明を実施するための最良の形態】
【０００９】
以下に本発明の実施例を示すが、本発明はこれのみに制約されるものではない。
【実施例１】
【００１０】
図２はスパイラル型ブルドン管の指示圧力計に接点を設けた消火器用接点付き指示圧力計である。
絶縁体の透明カバー２１に固定した電極棒１５およびカバー外側に突き出した電極棒先端に設けた移報用ターミナル２５を接点a側とし、指針１４および指針に半田付け等で接続されたスパイラル形ブルドン管２０と株１７および株とネジで電気的導通しているホルダー５、ターミナル２６を接点b側とした接触形スイッチが構成されている。
薬剤貯蔵容器３のホルダー５に接続された接点つき指示圧力計２３は製造工程において加圧用ガスを充填すると、内圧の上昇に伴い、指針１４は電極棒１５から離れ、常用圧力位置に停止する。
常用圧力に蓄圧されている場合には図３の(Ａ)（正常時）のように指針１４と電極棒１５間は開いているため非導通となり、作動信号は停止状態になっている。
消火器が作動して薬剤貯蔵容器３が減圧すると、図３の(Ｂ)（減圧時）のように指針１４は低圧方向へ移動し、電極棒１５に接触して接点が閉じ、短絡信号を出力する。
作動信号は電極棒１５先端のターミナル２５（ａ）と、株１７に導通するホルダー５等に設けた端子２６（ｂ）から移報先の警報機器等に移報用配線２４で接続する。
【００１１】
図７は接点を使用して警報ブザーを設置する場合の配線図である。
また、リレー接点を介してガス遮断弁を閉じる等にも利用できる。
本発明は、このような接点機能を具備した消火器用指示圧力計を備える蓄圧式消火器用消火薬剤貯蔵容器を特徴としたものである。
【実施例２】
【００１２】
図８は蓄圧式消火器（手動式）に接点付き指示圧力計２３を設けた例である。
接点付き指示圧力計２３を備えている場合には目視によって容器内圧力を確認する方法に加え、移報用配線２４を通じて消火器の圧力低下を監視することが可能となり、消火器１本毎にアドレス（Ｎｏ．等）を付けて監視盤に移報配線することによって各々の消火器の内圧低下を常時監視することができる。
手動式消火器の場合には、使用時に設置場所から移動するため、移報配線は消火器直近に容易に切り離すことができる差込式配線コネクター２８等を設けることによって消火器の使用に支障が無い設置を講ずることが可能である。
【図面の簡単な説明】
【００１３】
【図１】本発明の接点付き消火器用指示圧力計を設けた蓄圧式薬剤貯蔵容器の正面図(Ａ)および側面図(Ｂ)
【図２】接点付き指示圧力計の構造を示す正面図(Ａ)および側面図(Ｂ)
【図３】接点付き指示圧力計の正常時(Ａ)および減圧時(Ｂ)の指針位置説明図
【図４】従来の圧力スイッチを設けた自動消火装置（例１）
【図５】従来の圧力スイッチを設けた自動消火装置（例２）
【図６】従来の圧力スイッチを設けた自動消火装置（例３）
【図７】警報ブザー設置例
【図８】本発明の接点付き消火器用指示圧力計を設けた消火器（手動式）の正面図
【符号の説明】
【００１４】
１… 指示圧力計
２… 圧力スイッチ
３… 蓄圧式消火薬剤貯蔵容器   
４… サイホン管 
５… ホルダー 
６… 放出導管   
７… 放射ノズル 
８… 熱感知板     
９ …取付け金具    
１４…指示圧力計  指針
１５…電極棒
１６…取付けネジ
１７…株
１８…ケース
１９…目盛板
２０…ブルドン管
２１…カバー 
２３…消火器用接点付き指示圧力計
２４…移報用配線    
２５…端子(接点a側)  
２６…端子(接点b側)
２７…電池式ブザー 
２８…差込式配線コネクター
２９…手動レバー
３０…ハンドル
３１…ホース
３２…放射ノズル
３３…安全栓
【図１】
2008148987.tif 000003
【図２】
2008148987.tif 000004
【図３】
2008148987.tif 000005
【図４】
2008148987.tif 000006
【図５】
2008148987.tif 000007
【図６】
2008148987.tif 000008
【図７】
2008148987.tif 000009
【図８】
2008148987.tif 000010